(57)【要約】      （修正有）【課題】その都度移動や放置することが無くアイロン掛けができるクリップハンガーの提供。【解決手段】アイロン台の脚部パイプに大型クリップ（Ｂ）を設け縦パイプ（Ｘ）を接続し上部に保持具（Ｈ）を備え付け伸縮自在なカール状のゴム（Ｇ）を設け接合具（Ｓ）を使用したコードクリップ（Ｋ）でアイロンコードを挟むことによりコードが衣類に絡むことなくアイロン掛けを行うことができ、アイロン台の高さの調整に合せた手動回転装置（Ａ）を設け支持パイプ（Ｄ）を常に垂直に保つよう設定しさらに組立て式パイプスタンド（Ｐ）下部パイプ（Ｍ）上部パイプ（Ｎ）を組合せジョイント（Ｊ）と調整止具（Ｉ）に横パイプ（Ｙ）を水平に一体化することにより衣類のハンガー掛けとして使用する。【選択図】図１１
0003124784.tif 000002
【実用新案登録請求の範囲】
【請求項１】
アイロン台の脚部パイプに固定でき、アイロン台の高さの調整に合せて支持パイプ（Ｄ）が常に垂直に保つことが可能な、大型クリップ（Ｂ）に手動ストッパー付回転装置（Ａ）を設けたことを特徴とするクリップハンガー掛け。
【請求項２】
アイロンコードがアイロン掛けの際、衣類等と絡まないよう大型クリップ（Ｂ）に縦パイプ（Ｘ）を接続し上部に保持具（Ｈ）を備え付け伸縮自在なカール状のゴム（Ｇ）を設け接合具（Ｓ）を使用したコードクリップ（Ｋ）でアイロンコードを挟むことを特徴とする請求項１に記載のクリップハンガー掛け。
【請求項３】
組立て式パイプスタンド（Ｐ）下部パイプ（Ｍ）上部パイプ（Ｎ）を使用することにより保持具（Ｈ）と調整止具（Ｉ）にて横パイプ（Ｙ）を水平に保つよう一体化させ衣類ハンガー掛けとしても使用できることを特徴とする請求項１〜２に記載のクリップハンガー掛け。
【請求項４】
組立て式パイプスタンド（Ｐ）に縦パイプ（Ｘ）横パイプ（Ｙ）下部パイプ（Ｍ）上部パイプ（Ｎ）を収納できることを特徴とする請求項１〜３に記載のクリップハンガー掛け。
【考案の詳細な説明】
【技術分野】
【０００１】  本考案は、アイロンに使用するハンガー及びアイロンコードに関する。
【背景技術】
【０００２】  従来のアイロン掛けの際、アイロンコードが衣類に絡む不都合や、仕上がった衣類をその都度ハンガー掛けに、掛けるために移動する不都合とがあり、又は仕上がった衣類を少しの間床に放置している間にしわができる不快感を感じた。
【考案の開示】
【考案が解決しようとする課題】
【０００３】  従来のアイロン掛けの際、直接コンセント又は、延長コードの使用によりアイロン掛けを行っていた、しかし、これでは、アイロン掛けの際に衣類とアイロンコードが絡みその都度コードを捕まえたり、衣類を動かしたりして上手くアイロン掛けができず衣類によっては座ってアイロン掛けを行う場合もあるが、アイロンコードが絡む不都合や、しわができにくいようにすることを考えると、立った姿勢でアイロン掛けを行うことの方が都合よく、衣類の仕上がり後、その都度、ハンガーに掛け、それをハンガー掛けに掛ける作業がありその都度移動する不都合や、移動の際アイロンコードや延長コードが足に絡む心配があり又は、アイロン掛け終了時、一度にハンガー掛けに掛ける手順だと衣類を少しの間床に放置することで仕上がり後、しわができる不都合とがあり、尚且つアイロン掛けはアイロンからでる熱や蒸気さらに動きがあり体温の上昇による短時間での作業で汗がでることが多く、家事のなかでも一番不快感を感じやすい。
【課題を解決する手段】
【０００４】  そこで、市販されているアイロン台の脚部パイプに固定できる大型クリップ（Ｂ）を使用することによりアイロンコードがアイロン掛けの際、衣類に絡まないよう大型クリップ（Ｂ）に縦パイプ（Ｘ）を接続し上部に保持具（Ｈ）を備え付け伸縮自在なカール状のゴム（Ｇ）を設け接合具（Ｓ）を使用したコードクリップ（Ｋ）でアイロンコードを挟むことにより衣類がアイロンコードに絡むことなくアイロン掛けの作業を行うことができ、アイロン台の高さの調整に合せることができるように、大型クリップ（Ｂ）に手動ストッパー付回転装置（Ａ）を設け支持パイプ（Ｄ）が常に垂直に保てるように設定し、尚且つ、組立て式パイプスタンド（Ｐ）下部パイプ（Ｍ）上部パイプ（Ｎ）を組合せ、さらに、ジョイント（Ｊ）と調整止具（Ｉ）に横パイプ（Ｙ）を水平に保つよう一体化させることにより衣類のハンガー掛けとして使用することが可能であるためその都度ハンガー掛けに掛けるための移動もなくて仕上がり後も床に放置することがなくアイロンコードや延長コードが足に絡むことの心配もなく作業も早く終了するので、快適な空間として改善できる、クリップハンガー掛けにてこの課題を解決する。
【考案の効果】
【０００５】  よって、本考案のクリップハンガー掛けにより、衣類のアイロン掛けの際、アイロンコードが衣類に絡む不都合もなく。さらに、その都度ハンガー掛けに掛けるための移動がなくなることで、アイロンコードや延長コードが足に絡む心配もなくなり、尚且つ、衣類を放置するようなこともないので不快感もなく、その場所にて全ての作業ができる状態なので時間も短縮でき、快適な空間に改善できる。また作業終了後は、パイプスタンド（Ｐ）に縦パイプ（Ｘ）、横パイプ（Ｙ）、下部パイプ（Ｍ）、上部パイプ（Ｎ）を収めることができるため収納も組立て同様に容易である。
【本考案を実施するための最良の形態】
【０００６】  本考案に係るクリップハンガー掛けは、図１１に示すように、大型クリップ（Ｂ）をアイロン台の脚部パイプに挟んで固定して使用することができ、大型クリップ（Ｂ）に設けた（図１参照）手動ストッパー付回転装置（Ａ）により、支持パイプ（Ｄ）を常に垂直に保つことができ、支持パイプ（Ｄ）に縦パイプ（Ｘ）を接合しジョイント（Ｊ）を乗せ保持具（Ｈ）を乗せて上部固定ネジ（Ｃ）で止める。（図５参照）固定した保持具（Ｈ）に伸縮自在カール状ゴム（Ｇ）を引っかけ接合具（Ｓ）を使用したコードクリップ（Ｋ）を取付ける。（図３参照）支持パイプ（Ｄ）の下をネジキャップ（Ｅ）で蓋をする。組立て式パイプスタンド（Ｐ）に下部パイプ（Ｍ）を差込み（図９参照）さらに、上部パイプ（Ｎ）を差込んで接合し（図８参照）調整止具（Ｉ）を取付ける。横パイプ（Ｙ）を水平に保つように保持具（Ｈ）に接合して調整止具（Ｉ）で調整しながら固定して止める。一度固定するとその場所を、目立つテープ又は、マジック等で目印やラインを入れると良い。伸縮自在カール状ゴム（Ｇ）は抵抗が少ないことが望ましくコードクリップは、通常の使用でははずれないが、強く引くと伸縮自在カール状ゴム（Ｇ）が伸びるまえに、アイロンコードが外れることの方が望ましい。横パイプ（Ｙ）は構造的に軽くて硬い、ステンレスパイプが望ましく、その他の部材は市販されている部材で良い。
【図面の簡単な説明】
【０００７】
【図１】本考案に係る大型クリップの平面図である。
【図２】支持パイプ、ネジキャップ、縦パイプの断面図である。
【図３】コードクリップ及び接合具の平面図である。
【図４】コードクリップ及び接合具の断面図である。
【図５】上部固定ネジ、保持具、ジョイント、縦パイプ、横パイプ、伸縮自在カール状ゴム支持パイプ、ネジキャップ、の断面図である。
【図６】アイロン台に取付けた大型クリップ、支持パイプ及び縦パイプの側断面図である。
【図７】上部パイプ、調整止具、横パイプの断面図である。
【図８】上部パイプと下部パイプの差込み接合部の断面図である。
【図９】パイプスタンド及び下部パイプの断面図である。
【図１０】パイプスタンドの収納した平面図である。
【図１１】組立て完了使用のイメージ図である。
【符号の説明】
【０００８】  Ａ              手動ストッパー付回転装置
Ｂ              大型クリップ
Ｃ              上部固定ネジ
Ｄ              支持パイプ
Ｅ              ネジキャップ
Ｇ              伸縮自在カール状ゴム
Ｈ              保持具
Ｉ              調整止具
Ｊ              ジョイント
Ｋ              コードクリップ
Ｍ              下部パイプ
Ｎ              上部パイプ
Ｐ              パイプスタンド
Ｓ              接合具
Ｘ              縦パイプ
Ｙ              横パイプ
【図１】
0003124784.tif 000003
【図２】
0003124784.tif 000004
【図３】
0003124784.tif 000005
【図４】
0003124784.tif 000006
【図５】
0003124784.tif 000007
【図６】
0003124784.tif 000008
【図７】
0003124784.tif 000009
【図８】
0003124784.tif 000010
【図９】
0003124784.tif 000011
【図１０】
0003124784.tif 000012
【図１１】
0003124784.tif 000013